(57)【特許請求の範囲】
【請求項１】
光源からの光を入力映像信号に応じて変調して画面に投射する光学系と、
前記光学系を冷却する冷却ファンと、
前記冷却ファンの回転数が所定の閾回転数以下である場合に、前記冷却ファンの駆動エラーを検出するエラー検出手段と、
前記冷却ファンの目標回転数を環境温度に応じて設定する目標回転数設定手段と、
前記エラー検出手段が、前記冷却ファンの駆動エラーを検出した場合に、前記環境温度に応じて設定された前記冷却ファンの目標回転数を高める目標回転数制御手段と、
を備える投射型表示装置。
【請求項２】
前記目標回転数制御手段は、前記冷却ファンの目標回転数を、前記冷却ファンの最高回転数まで高める、請求項１に記載の投射型表示装置。
【請求項３】
光源からの光を入力映像信号に応じて変調して画面に投射する光学系と、前記光学系を冷却する冷却ファンを有する投射型表示装置の制御方法であって、
前記冷却ファンの回転数が所定の閾回転数以下である場合に、前記冷却ファンの駆動エラーを検出するエラー検出ステップと、
前記冷却ファンの目標回転数を環境温度に応じて設定する目標回転数設定ステップと、
前記冷却ファンの駆動エラーが検出された場合に、前記環境温度に応じて設定された前記冷却ファンの目標回転数を高める目標回転数制御ステップと、
を備える投射型表示装置の制御方法。
【請求項４】
前記目標回転数制御手段ステップでは、前記冷却ファンの目標回転数を、前記冷却ファンの最高回転数まで高める、請求項３に記載の投射型表示装置の制御方法。
【発明の詳細な説明】
【技術分野】
【０００１】
本発明は、投射型表示装置及び投射型表示装置の制御方法に関する。
【背景技術】
【０００２】
投射型表示装置（プロジェクタ）は、映像情報の大画面表示を行う表示機器である。投射型表示装置では、高圧水銀ランプ等の光源が発する光を液晶パネル等の変調手段を用いて変調し、投射レンズによってスクリーンに投射する。このような投射型表示装置の光源ランプは高熱を発するため、冷却ファンによって冷却する必要がある。
【０００３】
一般に、冷却ファンの回転数は温度に応じて設定されるが、起動直後の温度条件によっては、冷却ファンの正常な起動ができないことがある。
【０００４】
特許文献１には、装置起動直後の定着ローラの冷却ファンの回転を制御して、定着ローラの予熱時間を短縮するレーザビームプリンタ等の画像形成装置が記載されている。この画像形成装置では、電源投入後の所定時間に、冷却ファンに通常の駆動電圧の略２倍の駆動電圧を印加する。定着ローラは予熱が必要なため、当該所定時間が経過したら、冷却ファンの駆動電圧を通常の駆動電圧よりも低下させて、冷却能力を落とす。
【特許文献１】特開２００６−３０１２７９号公報（段落００１６、第３図）
【発明の開示】
【発明が解決しようとする課題】
【０００５】
一般に、投射型表示装置では冷却ファンのファンモータの潤滑剤としてグリースが使用されている。投射型表示装置の使用環境が氷点下等の低温環境である場合、このグリースが冷えて固着し、ファンの回転を妨げることがある。
【０００６】
特許文献１に記載の技術では、電源投入直後に冷却ファンの駆動電圧を通常の駆動電圧よりも上昇させた。しかしながら、冷却ファンの正常な駆動が可能な温度条件であれば、電源投入直後の冷却ファンの駆動電圧を極端に上昇させる必要はない。
【０００７】
また、特許文献１に記載の技術では、電源投入後の所定時間だけ、冷却ファンの駆動電圧を通常の駆動電圧よりも上昇させる。しかしながら、低温環境で装置を使用する場合には、この所定時間の間だけ駆動電圧を上昇させても、固着したグリースが軟化せず、冷却ファンの駆動を正常化できないことがある。
【０００８】
本発明は、前記のような問題に鑑みなされたもので、冷却ファンの起動を正常化する投射型表示装置及び投射型表示装置の制御方法を提供することを目的とする。
【課題を解決するための手段】
【０００９】
本発明に係る投射型表示装置は、光源からの光を入力映像信号に応じて変調して画面に投射する光学系と、前記光学系を冷却する冷却ファンと、前記冷却ファンの回転数が所定の閾回転数以下である場合に、前記冷却ファンの駆動エラーを検出するエラー検出手段と、前記冷却ファンの目標回転数を環境温度に応じて設定する目標回転数設定手段と、前記エラー検出手段が、前記冷却ファンの駆動エラーを検出した場合に、前記環境温度に応じて設定された前記冷却ファンの目標回転数を高める目標回転数制御手段と、を備える。
【発明の効果】
【００１０】
本発明によれば、エラー検出手段が冷却ファンの駆動エラーを検出すると、目標回転数制御手段は、冷却ファンの目標回転数を高める。このため、低温環境下でもファンの駆動を正常化することができる。
【発明を実施するための最良の形態】
【００１１】
以下、図面を参照して本発明による投射型表示装置の実施形態を説明する。
【００１２】
第１の実施形態
図１は本発明の第１の実施形態に係わる投射型表示装置の電気的構成を示すブロック図である。
【００１３】
システム制御部１０は、図示しないＲＯＭやＲＡＭ等の記憶装置や、ＣＰＵを備えている。システム制御部１０は、記憶装置に記憶された制御プログラムに従って、投射型表示装置各部の動作を制御する。システム制御部１０に備えられたＲＡＭには、エラー検出回数Ｅを記憶するための記憶領域が設けられている。このエラー検出回数Ｅの初期値は０に設定されている。
【００１４】
信号入力部１１はビデオ端子、Ｓビデオ端子、ＤＶＩ−Ｉ端子、Ｄ−ｓｕｂ端子等の複数系統の映像信号入力端子を有している。信号入力部１１には、これらの映像信号入力端子を介して、ＲＧＢ信号、ビデオ信号、ＰＣからの映像信号、ＤＶＤ等の光ディスク装置からの映像信号等の映像信号が入力する。信号入力部１１に入力した映像信号は、信号処理部１２に送られる。信号処理部１２は、入力した映像信号に所定の信号処理を行い、光学エンジン１７の表示素子に合わせた形式の映像信号に変換する。
【００１５】
操作部１３は、電源ボタンや各種機能ボタン、表示パネル等を備えている。ユーザは、この操作部１３を操作して、システム制御部１０に操作指示を送ることができる。
【００１６】
温度センサ１４は、環境温度の測定を行い、測定した温度をシステム制御部１０に通知する。
【００１７】
ブザー１５は、システム制御部１０の制御に従って警告音を発生し、ユーザにエラーの発生等を通知する。
【００１８】
光学系駆動部１６は、システム制御部１０の制御に基づいて光学系１７を駆動する。光学系１７は、光源ランプ、光学エンジン及び投射レンズを含む。光源ランプには、例えば高圧水銀ランプ等が用いられる。光学エンジンの投射方式としては、例えば３枚の液晶パネルを使用する３ＬＣＤ方式が採用される。光学エンジンは、光源ランプが発光した光を入力映像信号に応じて変調する。変調された光は、投射レンズを介してスクリーンに投射される。
【００１９】
冷却部１８は、光学系１７の冷却を行う。冷却部１８は、冷却ファンおよびダクトを備えている。システム制御部１０は、冷却ファンの回転数を制御することで、冷却部１８の冷却能力を調節することができる。
【００２０】
環境温度が高い場合には、冷却部１８の冷却能力を高く保つために冷却ファンの回転数を高くする必要があるが、環境温度が低い場合には、冷却部１８の冷却能力は低くてもよい。温度センサ１４が検出した環境温度に基づいて、冷却部１８の冷却ファンの目標回転数（２０００〜３０００ｒｐｍ）が決定される。システム制御部１０は、この目標回転数に収束するように、冷却ファンの回転数をフィードバック制御する。
【００２１】
図２は、通常の使用環境（常温）下での冷却ファン回転数の時間変化の一例を概略的に表した図である。ファンの回転数は、フィードバック制御により、時間の経過に伴って、環境温度に応じて設定された目標回転数に収束する。
【００２２】
図３は、低温環境での冷却ファン回転数の時間変化の一例を概略的に表した図である。
【００２３】
寒冷地では、氷点下等の低温環境で投射型表示装置の起動を行うことがある。例えば投射型表示装置を氷点下の屋外から屋内に持ち込んだ場合には、冷え切った状態で投射型表示装置を起動させることになる。一般に、冷却ファンのファンモータの回転軸には、潤滑剤としてグリースが塗布されている。投射型表示装置の使用環境が氷点下等の低温環境である場合、このグリースが冷えて回転軸に固着し、ファンの回転が妨げられる。このため冷却ファンの正常な起動ができないことがある。
【００２４】
図３に示すように、低温環境下では、システム制御部１０によるフィードバック制御にも関わらず、ファンの回転数が目標回転数に到達するのに相当の時間を要する。これは、ファンモータの潤滑剤として用いられているグリースが冷えて固着し、ファンの回転を妨げているためである。このため、投射型表示装置の制御部がファン駆動の異常を検出し、正常な起動ができない可能性がある。冷却ファンの駆動を正常化させるためには、固着したグリースを軟化させる必要がある。
【００２５】
次に、前記構成による投射型表示装置の第１の実施形態の動作について説明する。図４は投射型表示装置の第１の実施形態による冷却ファン駆動処理を示すフローチャートである。
【００２６】
投射型表示装置が起動すると、温度センサ１４は、環境温度を測定する（ブロックＡ１）。測定された温度はシステム制御部１０に通知される。システム制御部１０は、測定温度に応じて、冷却部１７の冷却ファンの目標回転数（２０００ｒｐｍ〜３０００ｒｐｍ程度）を設定する（ブロックＡ２）。測定温度が高温であれば目標回転数は高く設定され、測定温度が低温であれば目標回転数は低く設定される。
【００２７】
システム制御部１０は、設定された回転数に基づいて、冷却ファンの駆動をフィードバック制御する（ブロックＡ３）。冷却ファンの回転数は、目標回転数と実回転数の差分が０となるように制御される。
【００２８】
システム制御部１０は、冷却ファンの駆動エラーの検出を行う（ブロックＡ４）。低温環境下でグリースが回転軸に固着してファンの回転を妨げていると、冷却ファンの回転数は上昇しない。冷却ファンの実際の回転数が所定の閾回転数（例えば１０００ｒｐｍ）以下である場合は、駆動エラーが生じていると判断される。
【００２９】
システム制御部１０が冷却ファンの駆動エラーを検出しない場合、すなわち冷却ファンの実回転数が所定の閾回転数よりも大きい場合は（ブロックＡ４でＮＯ）、ブロックＡ１からの処理を繰り返し、温度に応じて冷却ファンの駆動をフィードバック制御する。
【００３０】
システム制御部１０が冷却ファンの駆動エラーを検出した場合、すなわち冷却ファンの実回転数が所定の閾回転数以下である場合は（ブロックＡ４でＹＥＳ）、システム制御部１０は、ＲＡＭに記憶されたエラー検出回数Ｅの値を読み出して、読み出したエラー検出回数Ｅが、所定の値Ｎ（例えばＮ＝３）以上であるか否かを判断する（ブロックＡ５）。
【００３１】
エラー検出回数Ｅの値がＮ以上である場合は（ブロックＡ５でＹＥＳ）、冷却ファンが故障していると判断され、システム制御部１０は所定のエラー処理を行う（ブロックＡ６）。すなわち、システム制御部１０は、例えばブザー１５に警告音を発生させるなどしてユーザに冷却ファンの故障を通知し、投射型表示装置の電源を落とす等の処理を行う。
【００３２】
エラー検出回数Ｅの値がＮより小さい場合（ブロックＡ５でＮＯ）、システム制御部１０は、エラー検出回数Ｅの値を１だけ増加させて、ＲＡＭに設けられた記憶領域に記憶する（ブロックＡ７）。その後システム制御部１０は、冷却ファンの目標回転数として当該冷却ファンの最高回転数（４０００ｒｐｍ程度）を設定する（ブロックＡ８）。冷却ファンは最高電圧を与えられて、回転数が最高回転数となるようにフィードバック制御され（ブロックＡ９）、ブロックＡ４の処理に戻る。
【００３３】
冷却ファンの目標回転数として最高回転数（例えば４０００ｒｐｍ）が設定されると、冷却ファンのモータの回転トルクが上昇する。これによって、固着したグリースは徐々に軟化し、冷却ファンの回転を妨げないようになる。
【００３４】
この後、再び冷却ファンの駆動エラーが検出されても（ブロックＡ４でＹＥＳ）、エラー検出回数Ｅの値がＮ以上になるまでは、ブロックＡ７からＡ９の処理が繰り返される。グリースが回転軸に強固に固着して軟化しにくい場合でも、Ｎの値を適切に設定すれば、グリースが充分に軟化するまで冷却ファンの目標回転数に最高回転数を与えることができる。冷却ファンの回転数が上昇してグリースが一旦軟化すれば、モータの摩擦熱、ランプの発熱等があるので、グリースが再度固着することはなくなる。
【００３５】
冷却ファンの実際の回転数が閾回転数を越えると（ブロックＡ４でＮＯ）、ブロックＡ１の処理に戻る。冷却ファンの目標回転数はブロックＡ１で測定された温度に応じて設定され（ブロックＡ２）、冷却ファンの駆動は当該設定された回転数に基づいてフィードバック制御される（ブロックＡ３）。以上のようにして、低温環境下であっても冷却ファンの駆動が正常化される。
【００３６】
図５は、本実施形態に係る冷却ファン駆動処理を低温環境で実行した場合のファン回転数の時間変化の一例を概略的に表した図である。システム制御部１０が、冷却ファンの駆動エラーを検出すると、冷却ファンの目標回転数は、当該冷却ファンの最高回転数に設定される。グリースが軟化して回転数が閾回転数を越えると、温度に依存して設定された目標値のフィードバック制御によって回転数が目標回転数に収束する。
【００３７】
以上のように、本実施形態では、環境温度に応じて冷却ファンの目標回転数が設定される。固着したグリースが冷却ファンの回転を妨げ、冷却ファンの回転数が目標回転数に到達しない場合は、冷却ファンの駆動エラーが検出される。冷却ファンの駆動エラーが検出されると、システム制御部１０は、冷却ファンの目標回転数を当該冷却ファンの最高回転数に設定する。モータの回転トルクの上昇によってグリースが軟化し、冷却ファンの正常な駆動が可能になる。従って、本実施形態に係る投射型表示装置によれば、低温環境下であっても冷却ファンの駆動を正常化することができる。
【００３８】
本実施形態では、温度センサ１４は、ブロックＡ１で環境温度を測定するとした。しかしながら、温度センサ１４は、投射型表示装置内部の温度を測定するようにしてもよい。この場合、温度センサ１４が測定した装置内部の温度に基づいて、冷却ファンの目標回転数が設定される。あるいは、環境温度及び装置内部の温度の両方を測定するようにしてもよい。測定された両温度の組み合わせに基づいて、冷却ファンの目標回転数を設定するようにしてもよい。
【００３９】
本実施形態では、システム制御部１０は、冷却ファンのエラーを検出すると、冷却ファンの目標回転数として当該冷却ファンの最高回転数を設定した。しかしながら、固着したグリースを軟化させることができる回転数であれば、冷却ファンの最高回転数以外の回転数が目標回転数として設定されてもよい。
【００４０】
第２の実施形態
次に本発明の第２の実施形態を説明する。以下の実施形態で第１の実施形態と対応する部分は対応する参照数字を付して詳細な説明は省略する。第２の実施形態の構成は図１に示すブロック図で表される。
【００４１】
上述の第１の実施形態では、冷却ファンの駆動エラーが検出されると、システム制御部１０は冷却ファンの目標回転数として最高回転数を設定した。本実施形態では、起動直後の環境温度が、グリースの固着が起こりうるような低温である場合には、冷却ファンの目標回転数として最高回転数を設定する。これによって固着したグリースが軟化すれば、ファンの回転が正常化される。
【００４２】
図６は投射型表示装置の第２実施形態による冷却ファン駆動処理を示すフローチャートである。
【００４３】
投射型表示装置が起動すると、温度センサ１４は、環境温度を測定する（ブロックＢ１）。測定された温度はシステム制御部１０に通知される。システム制御部１０は、測定温度がグリースの固着が生じる程度の低温（例えば０℃以下）であるか否かを判断する（ブロックＢ２）。
【００４４】
測定温度が低温ではないと判断された場合（ブロックＢ２でＮＯ）、システム制御部１０は、測定温度に応じて、冷却部１７の冷却ファンの目標回転数（２０００ｒｐｍ〜３０００ｒｐｍ程度）を設定する（ブロックＢ３）。測定温度が高温であれば目標回転数は高く設定され、測定温度が低温であれば目標回転数は低く設定される。
【００４５】
システム制御部１０は、設定された目標回転数に基づいて、冷却ファンの駆動をフィードバック制御する（ブロックＢ４）。冷却ファンの回転数は、目標回転数と実回転数の差分が０となるように制御される。
【００４６】
一方、測定温度がグリースの固着が生じる程度の低温であると判断された場合（ブロックＢ２でＹＥＳ）、システム制御部１０は、冷却ファンの目標回転数として当該冷却ファンの最高回転数（４０００ｒｐｍ程度）を設定する（ブロックＢ５）。冷却ファンは最高電圧を与ええられて、回転数が設定された最高回転数となるように制御される（ブロックＢ６）。
【００４７】
冷却ファンの目標回転数として最高回転数（例えば４０００ｒｐｍ）が設定されて回転トルクが上昇すると、固着したグリースは徐々に軟化し、冷却ファンの回転を妨げないようになる。
【００４８】
続いてシステム制御部１０は、冷却ファンの駆動エラーの検出を行う（ブロックＢ７）。低温環境下でグリースが回転軸に固着してファンの回転を妨げていると、冷却ファンの回転数は上昇しない。冷却ファンの実際の回転数が所定の閾回転数（例えば１０００ｒｐｍ）以下である場合は、駆動エラーが生じていると判断される。
【００４９】
システム制御部１０が冷却ファンの駆動エラーを検出しない場合、すなわち冷却ファンの実回転数が所定の閾値よりも大きい場合は（ブロックＢ７でＮＯ）、温度センサ１４が環境温度を測定し、測定温度をシステム制御部１０に通知する（ブロックＢ１３）。その後ブロックＢ３の処理に戻り、ブロックＢ１３で測定された温度に応じて冷却ファンの駆動を制御する。
【００５０】
システム制御部１０が冷却ファンの駆動エラーを検出した場合、すなわち冷却ファンの実回転数が所定の閾回転数以下である場合は（ブロックＢ７でＹＥＳ）、システム制御部１０は、ＲＡＭに記憶されたエラー検出回数Ｅの値を読み出して、読み出したエラー検出回数Ｅが、所定の値Ｎ（例えばＮ＝３）以上であるか否かを判断する（ブロックＢ８）。
【００５１】
エラー検出回数Ｅの値がＮ以上である場合は（ブロックＢ８でＹＥＳ）、冷却ファンが故障していると判断され、システム制御部１０は所定のエラー処理を行う（ブロックＢ９）。すなわち、システム制御部１０は、例えばブザー１５に警告音を発生させるなどしてユーザに冷却ファンの故障を通知し、投射型表示装置の電源を落とす等の処理を行う。
【００５２】
エラー検出回数Ｅの値がＮより小さい場合（ブロックＢ８でＮＯ）、システム制御部１０は、エラー検出回数Ｅの値を１だけ増加させて、ＲＡＭに設けられた記憶領域に記憶する（ブロックＢ１０）。その後システム制御部１０は、冷却ファンの目標回転数として当該冷却ファンの最高回転数（４０００ｒｐｍ程度）を設定する（ブロックＢ１１）。冷却ファンは最高電圧を与えられて、回転数が最高回転数となるように制御され（ブロックＢ１２）、ブロックＢ７の処理に戻る。
【００５３】
冷却ファンの目標回転数として最高回転数（例えば４０００ｒｐｍ）が設定されると、冷却ファンのモータの回転トルクが上昇する。これによって、固着したグリースは徐々に軟化し、冷却ファンの回転を妨げないようになる。
【００５４】
この後、再び冷却ファンの駆動エラーが検出されても（ブロックＢ７でＹＥＳ）、エラー検出回数Ｅの値がＮ以上になるまでは、ブロックＢ１０からＢ１２の処理が繰り返される。グリースが回転軸に強固に固着して軟化しにくい場合でも、Ｎの値を適切に設定すれば、グリースが充分に軟化するまで冷却ファンに最高回転数を与えることができる。冷却ファンの回転数が上昇してグリースが一旦軟化すれば、モータの摩擦熱、ランプの発熱等があるので、グリースが再度固着することはなくなる。
【００５５】
冷却ファンの実際の回転数が閾回転数を越えると（ブロックＢ７でＮＯ）、ブロックＢ３の処理に戻る。
【００５６】
図７は、低温環境で本実施形態に係る冷却ファン駆動処理を実行した場合のファン回転数の時間変化の一例を概略的に表した図である。環境温度が例えば０℃以下の低温であると判断されると、冷却ファンの目標回転数として当該冷却ファンの最高回転数が設定される。グリースが軟化して回転数が閾回転数を越えると、フィードバック制御によって、温度に依存して設定された目標回転数に収束する。
【００５７】
本実施形態では、起動直後の環境温度が、グリースが回転軸に固着する程度の低温である場合には、冷却ファンの目標回転数として最高回転数（例えば４０００ｒｐｍ）を設定した。また、冷却ファンの回転数が目標回転数に到達せず、冷却ファンの駆動エラーが検出された場合にも、冷却ファンの目標回転数を当該冷却ファンの最高回転数に設定した。
【００５８】
ファンモータの潤滑剤として使用されているグリースが、低温のために回転軸に固着し冷却ファンの回転を妨げるような場合であっても、冷却ファンの目標回転数が最高回転数に設定されると、モータの回転トルクの上昇によってグリースが軟化し、冷却ファンの正常な駆動が可能になる。従って、本実施形態に係る投射型表示装置によれば、低温環境下であっても冷却ファンの駆動を正常化することができる。
【００５９】
本実施形態では、温度センサ１４は、ブロックＢ１及びブロックＢ１３で環境温度を測定するとした。しかしながら、温度センサ１４は、投射型表示装置内部の温度を測定するようにしてもよい。この場合、温度センサ１４が測定した装置内部の温度に基づいて、冷却ファンの目標回転数が設定される。あるいは、環境温度及び装置内部の温度の両方を測定するようにしてもよい。測定された両温度を組み合わせて、冷却ファンの目標回転数を設定するようにしてもよい。
【００６０】
本実施形態では、システム制御部１０は、温度センサが検出した環境温度が低温である場合及び冷却ファンの駆動エラーを検出した場合に、冷却ファンの目標回転数として当該冷却ファンの最高回転数を設定した。しかしながら、固着したグリースを軟化させることができる回転数であれば、冷却ファンの最高回転数以外の回転数が目標回転数として設定されてもよい。
【００６１】
上述の第１及び第２の実施形態において、ランプ１５は超高圧水銀ランプであるとしたが、他のランプであってもよい。また、光学エンジン１７の投影方式は３ＬＣＤ方式であるとしたが、ＤＬＰ（登録商標）方式やＬＣＯＳ方式等の他の投影方式であってもよい。
【００６２】
上述の第１及び第２の実施形態において、所定回数（例えば３回）以上の冷却ファンの駆動エラーが検出された場合には、ブザー１８に警告音を発生させてユーザに冷却ファンの故障を通知し、投射型表示装置の電源を落とす等のエラー処理を行うとした。ブザー１８に警告音を発生させる代わりに、操作部１３が有する表示パネルにエラーメッセージを表示させてもよい。あるいは、警告音の発生と、エラーメッセージの表示の両方を実行してもよい。警告音の発生やエラーメッセージの表示に限らず、ユーザに冷却ファンの故障を通知する処理であれば他の処理が行われてもよい。
【００６３】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、１つの実施形態に示される全構成要件から幾つかの構成要件が削除されたり、幾つかの実施形態に示される構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００６４】
【図１】図１は本発明の実施形態に係わる投射型表示装置の電気的構成を示すブロック図。
【図２】通常の使用環境下での冷却ファン回転数の時間変化の一例を概略的に表した図。
【図３】低温環境での冷却ファン回転数の時間変化の一例を概略的に表した図。
【図４】第１の実施形態による冷却ファン駆動処理を示すフローチャート。
【図５】第１の実施形態による冷却ファン駆動処理を低温環境で実行した場合のファン回転数の時間変化の一例を概略的に表した図。
【図６】第２実施形態による冷却ファン駆動処理を示すフローチャート。
【図７】第２の実施形態による冷却ファン駆動処理を低温環境で実行した場合のファン回転数の時間変化の一例を概略的に表した図。
【符号の説明】
【００６５】
１０…システム制御部、１１…信号入力部、１２…信号処理部、１３…操作部、１４…温度センサ、１５…ブザー、１６…光学系駆動部、１７…光学系、１８…冷却部。
【図１】
0005150162.tif 000002
【図２】
0005150162.tif 000003
【図３】
0005150162.tif 000004
【図４】
0005150162.tif 000005
【図５】
0005150162.tif 000006
【図６】
0005150162.tif 000007
【図７】
0005150162.tif 000008